(57)【特許請求の範囲】
【請求項１】
透光性の支持体上に青感光性、緑感光性、及び赤感光性の感光性ハロゲン化銀乳剤を含有する少なくとも３種の写真感光性層を有し、画像が露光された後各写真感光性層内に銀画像が生じるように処理されたカラー写真感光材料に記録された画像を読み取る画像読み取り装置であって、
前記カラー写真感光材料の乳剤面側及び支持体面側の各々に光を照射する光源と、
前記カラー写真感光材料の乳剤面側及び支持体面側の各々から反射された光により反射画像を読み取ると共に、前記カラー写真感光材料を透過した光により透過画像を読み取るエリアセンサと、
を含み、
銀画像の生成度合いに応じて同一画像を複数回読み取る画像読み取り装置。
【請求項２】
前記光源から赤外光を照射する請求項１に記載の画像読み取り装置。
【請求項３】
隣り合う読み取り範囲が一部重複するように、前記エリアセンサでカラー写真感光材料に記録された反射画像及び透過画像を読み取る請求項１または２に記載の画像読み取り装置。
【請求項４】
前記光源は、前記カラー写真感光材料の乳剤面側及び支持体面側の各々に波長及び光量の少なくとも一方が異なる光を照射する請求項１〜３のいずれか１項に記載の画像読み取り装置。
【請求項５】
前記カラー写真感光材料の種類に応じて、前記支持体面側に照射する光量と前記乳剤面側に照射する光量とを可変とした請求項１〜４のいずれか１項に記載の画像読み取り装置。
【請求項６】
前記エリアセンサで読み取った反射画像及び透過画像の特徴量を抽出し、抽出した特徴量に基づいて反射画像及び透過画像の各々が一致するように画像を合成する請求項１〜５のいずれか１項に記載の画像読み取り装置。
【請求項７】
前記カラー写真感光材料の乳剤面側及び支持体面側の各々に波長が異なる光を照射し、前記乳剤面側及び前記支持体面側の反射画像、及び前記透過画像を同時に読み取る請求項１〜６のいずれか１項に記載の画像読み取り装置。
【請求項８】
前記光源から前記乳剤面側及び支持体面側の各々に交互に光を照射し、前記乳剤面側及び前記支持体面側の反射画像を交互に読み取ると共に、前記透過画像と前記反射画像のいずれか一方とを同時に読み取る請求項１〜６のいずれか１項に記載の画像読み取り装置。
【発明の詳細な説明】
【０００１】
【発明の属する技術分野】
本発明は画像読み取り装置に関し、詳しくは、カラー写真感光材料からの反射光と透過光とに基づいて、カラー写真感光材料に記録された銀画像を読み取る画像読み取り装置に関する。
【０００２】
【従来の技術】
ハロゲン化銀を利用した写真感光材料は近年ますます発展し、現在では簡易に高画質のカラー画像を入手することが可能となっている。たとえば通常カラー写真と呼ばれる方式ではカラーネガフィルムを用いて撮影を行い、現像後のカラーネガフィルムに記録された画像情報を光学的にカラー印画紙に焼き付けることでカラープリントを得る。近年ではこのプロセスは高度に発達し、大量のカラープリントを高効率で生産する大規模な集中拠点である所謂大ラボあるいは店舗に設置された小型、簡易のプリンタプロセッサである所謂ミニラボの普及により誰でもがカラー写真を手軽に楽しめるようになっている。
【０００３】
現在普及しているカラー写真の原理は、減色法による色再現を採用している。一般的なカラーネガでは透過支持体上に青、緑、そして赤色領域に感光性を付与した感光素子であるハロゲン化銀乳剤を用いた感光性層を設け、それらの感光性層中には各々が補色となる色相であるイエロー、マゼンタそしてシアンの色素を形成する所謂カラーカプラーを組合せて含有させてある。撮影により像様の露光を施されたカラーネガフィルムは芳香族第一級アミン現像主薬を含有するカラー現像液中で現像される。この時、感光したハロゲン化銀粒子は現像主薬によって現像すなわち還元されて金属銀が生成し、同時に生成する現像主薬の酸化体と上記のカラーカプラーとのカップリング反応によって各色素が形成される。現像によって生じた金属銀（現像銀）と、未反応のハロゲン化銀とをそれぞれ漂白および定着処理によって取り除くことで色素画像を得る。同様な感光波長領域と発色色相の組合せを有する感光性層を反射支持体上に塗設したカラー感光材料であるカラー印画紙に現像処理後のカラーネガフィルムを通して光学的な露光を与え、これも同様の発色現像と漂白、定着処理とを施すことでオリジナルの光景を再現した、色素画像よりなるカラープリントを得ることができる。
【０００４】
これらのシステムは現在広く普及しているが、その簡易性を高める要求はますます強くなりつつある。例えば、特開平６−２９５０３５号公報には、色素画像を形成することなく、青、赤、および緑の各色部分への像様露光を表す画像情報をハロゲン化銀カラー写真要素、即ち銀画像から抽出する画像形成の方法が記載されている。この方法によれば、カラー発色素材を用いることなく感光材料を設計することができると共に、カラー発色素材を用いたとしても発色させることなく画像を読み取ることができる。
【０００５】
【発明が解決しようとする課題】
しかしながら、カラー写真フィルムは、元来透過画像を形成するものであり、カラーペーパがバライタ層により効率良く光を反射するのに対し、入射した光を効率良く反射する機能を備えていないため、画像読み取り時の光のロスが多く、光量を多くするかまたは時間をかけて読み取りを行わないと、光電変換素子が充分な光を得て高ＳＮ比の信号を出力するのが困難である、という問題があった。
【０００６】
また、支持体側（ベース側）から画像を読み取る場合には、コロイド銀からなるアンチハレーション層が光を減衰させるため、更に大量の光を照射するか読み取りに長時間かけなければ高ＳＮ比の信号を得ることができない、という問題がある。
【０００７】
本発明は、上記問題点を解消するためになされたもので、一部分に熱を集中させることなく、高ＳＮ比の画像情報を読み取ることができる、画像読み取り装置を提供することを目的とする。また、大量の光を照射したり、長時間を要することなく画像を読み取ることができる画像読み取り装置を提供することを他の目的とする。
【０００８】
【課題を解決するための手段】
上記目的を達成するために、請求項４の発明は、透光性の支持体上に青感光性、緑感光性、及び赤感光性の感光性ハロゲン化銀乳剤を含有する少なくとも３種の写真感光性層を有し、画像が露光された後各写真感光性層内に銀画像が生じるように処理されたカラー写真感光材料に記録された画像を読み取る画像読み取り装置であって、前記カラー写真感光材料の乳剤面側及び支持体面側の各々に波長及び光量の少なくとも一方が異なる光を照射する光源と、前記カラー写真感光材料の乳剤面側及び支持体面側の各々から反射された光により反射画像を読み取ると共に、前記カラー写真感光材料を透過した光により透過画像を読み取るエリアセンサと、を含み、銀画像の生成度合いに応じて同一画像を複数回読み取るものである。
【０００９】
請求項４の発明では、カラー写真感光材料の乳剤面側及び支持体面側の各々に、波長及び光量の少なくとも一方が異なる光を照射するようにしている。
【００１０】
カラー写真感光材料の乳剤面側及び支持体面側の各々に波長が異なる光を照射することにより、乳剤面側及び支持体面側の反射画像、及び透過画像を同時に読み取ることができるので、長時間を要することなく画像を読み取ることができ、１つの読み取り画面に対して大量の光を長時間照射する必要がなくなるので、感光材料の熱損傷を防止することができる。また、カラー写真感光材料の乳剤面側及び支持体面側の各々に光量が異なる光を照射することにより、光の減衰が大きくなる支持体面側に照射する光量を多くする一方、乳剤面側に照射する光量を少なくすることができ、１つの読み取り画面に対して大量の光を照射する必要がなくなるので、感光材料の熱損傷を防止することができる。
【００１１】
また、光源から乳剤面側及び支持体面側の各々に交互に光を照射し、乳剤面側及び支持体面側の反射画像を交互に読み取ると共に、透過画像と反射画像のいずれか一方とを同時に読み取れば、反射画像、透過画像を個々に読み取る場合より短時間に画像を読み取ることができる。
【００１２】
さらに、前記カラー写真感光材料の種類に応じて、前記支持体面側に照射する光量と前記乳剤面側に照射する光量とを可変としたことにより、例えば、銀コロイドを用いたアンチハレーション層等が設けられているフィルムの場合、アンチハレーション層等により光が減衰される支持体面側の光量を乳剤面側の光量より多くすることにより、１つの読み取り画面に対して大量の光を照射する必要がなくなる。
【００１３】
上記目的を達成するために、請求項１の発明は、透光性の支持体上に青感光性、緑感光性、及び赤感光性の感光性ハロゲン化銀乳剤を含有する少なくとも３種の写真感光性層を有し、画像が露光された後各写真感光性層内に銀画像が生じるように処理されたカラー写真感光材料に記録された画像を読み取る画像読み取り装置であって、前記カラー写真感光材料の乳剤面側及び支持体面側の各々に光を照射する光源と、前記カラー写真感光材料の乳剤面側及び支持体面側の各々から反射された光により反射画像を読み取ると共に、前記カラー写真感光材料を透過した光により透過画像を読み取るエリアセンサと、を含み、銀画像の生成度合いに応じて同一画像を複数回読み取ることを特徴とするものである。
請求項１の発明のように、読み取りセンサとしてエリアセンサを用いることにより、ラインセンサに比較して光が一部分に集中することがないので、一部分に熱を集中させることなく画像を読み取ることができる。
【００１４】
銀画像の位置の検出が困難なカラー写真感光材料に記録された銀画像をエリアセンサで読み取る場合には、隣り合う読み取り範囲が一部重複するように読み取れば、読み取り後に合成することにより画像の読み取りミスを無くすことができる。
【００１５】
また、画像を合成する場合には、センサで読み取った画像の特徴量を抽出し、抽出した特徴量に基づいて反射画像及び透過画像の各々が一致するように合成すればよい。
【００１６】
銀濃度が低過ぎると画像が読み取れない場合があるほか、銀画像濃度が高過ぎても画像の読み取りが困難になるが、銀画像の生成度合いに応じて、同一画像を複数回読み取り、銀画像濃度が低い部分については銀画像の生成が進行した後に読み取った画像情報を用い、銀画像濃度の高い部分については銀画像の生成初期に読み取った画像情報を用いることにより、高ＳＮ比の画像情報を得ることができる。
【００１７】
本発明においては、赤色光（Ｒ光）、緑色光（Ｇ光）、青色光（Ｂ光）の各種波長の光の他、赤外光を用いて画像を読み取ることができる。
【００１８】
なお、読み取りセンサは、前記カラー写真感光材料の乳剤面側からの反射光により反射画像情報を低解像度で読み取る低解像度用センサと、前記カラー写真感光材料の支持体面側からの反射光により反射画像情報を低解像度で読み取る低解像度用センサと、前記カラー写真感光材料を透過した透過光により透過画像情報を高解像度で読み取る高解像度用センサと、で構成することができる。
【００１９】
また、読み取りセンサは、前記カラー写真感光材料の乳剤面側及び支持体面側の一方からの反射光により反射画像情報を低解像度で読み取ると共に、前記カラー写真感光材料を透過した透過光により透過画像情報を高解像度で読み取る兼用センサと、前記カラー写真感光材料の乳剤面側及び支持体面側の他方からの反射光により反射画像情報を低解像度で読み取る低解像度用センサと、で構成してもよい。このように、反射画像情報及び透過画像情報を読み取るセンサを兼用センサとすることにより、装置を簡単化してコストを抑えることができる。
【００２０】
これら低解像度用センサ、高解像度用センサ、及び兼用センサは、例えば、カラー写真感光材料のコマ画像を１度に読み取ることができるエリアＣＣＤや１ライン分に画像を読み取ることができるラインＣＣＤを用いることができる。
【００２１】
【発明の実施の形態】
（第１の実施の形態）
以下、支持体上に青感光性層（Ｂ層）、緑感光性層（Ｇ層）、及び赤感光性層（Ｒ層）の３種の写真感光性層を有するカラー写真フィルムを、色素情報を含まない銀画像が生じるように白黒現像し、現像した後、漂白、定着、及び水洗を行うことなく乾燥し、乾燥する前、または乾燥した後に、カラー写真フィルムに記録された銀画像を読み取る画像読み取り装置に本発明を適用した実施の形態について説明する。なお、白黒現像した場合には、赤色光（Ｒ光）、緑色光（Ｇ光）、青色光（Ｂ光）の各種波長の光源を用いることができるが、本実施の形態では赤外光を用いて銀画像を読み取る場合について説明する。なお、現像が停止していない状態若しくは現像中の状態の画像を読み取る場合には、Ｒ，Ｇ，Ｂ光を使用すると、読み取り光によってハロゲン化銀が感光される不具合が生じるが、ＩＲ光を用いた場合、その問題を回避することができる。
【００２２】
図１には、画像処理システム１０の全体構成が示されている。図１に示すように、画像処理システム１０は、磁気情報読み取り部１２、基準露光部１４、ＡＰＳフィルムを読み取り対象としたときに使用されるパーフォレーション検出センサ１３、白黒現像部１６、バッファ部１８、フィルムスキャナ２０、画像処理装置２２、プリンタ部２４、及びプロセッサ部２６により構成されている。パーフォレーション検出センサ１３は、発光素子と受光素子とを対向配置して構成されている。
【００２３】
画像処理システム１０は、ネガフィルムやリバーサルフィルム（ポジフィルム）等のカラー写真フィルムに記録されているフィルム画像（銀画像）を読み取って画像処理を施し、画像処理後の画像を印画紙にプリントするためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのフィルム画像を処理対象とすることができる。写真フィルム２８は、乳剤面側（Ｂ感光性層側）を上にして、図１において矢印Ａ方向へ搬送される。なお、画像処理システムで、熱によって感熱紙に画像を形成したり、ゼログラフィーやインクジェット等によって普通紙等の記録媒体に画像を形成するようにしてもよい。
【００２４】
磁気情報読み取り部１２は、処理対象の写真フィルム２８が図２に示すようなＡＰＳフィルムの場合に、該ＡＰＳフィルム２８Ａの画像コマの下に形成された磁気層３０に記録された磁気情報を読み取る際に使用される。この磁気情報には、フィルム感度情報、ＤＸコード等のフィルム種に関する情報も含まれる。
【００２５】
また、ＡＰＳフィルム２８Ａの先端側及び後端側には、図２に示すようにユーザ側で自由に使用可能な未露光エリアが設けられている。本実施の形態では、この未露光エリアを基準露光領域３２として使用する。また、写真フィルム２８が１３５サイズの写真フィルムの場合は、フィルムの先端側または後端側に存在する図３に示すような未露光部を基準露光領域３２として使用する。
【００２６】
パーフォレーション検出センサ１３は、処理対象の写真フィルム２８がＡＰＳフィルムの場合に、パーフォレーションを検出し、制御部１４０によって検出したパーフォレーションに基づいて搬送ローラ１５を制御することにより、後述する白黒現像部１６において現像液を塗布する範囲を特定する。
【００２７】
基準露光部１４は、画像処理条件を決定する際に使用される画像情報を形成するために、基準露光領域３２を基準露光する。なお、画像コマを読み取ったデータを記憶しておいて全画像コマ読み取り後に基準露光領域の画像情報を読み取って画像処理条件を決定してもよいが、画像コマを読み取る前に画像処理条件を決定すれば画像コマを読み取りながら画像処理することができるので、画像コマを読み取る前に画像処理条件を決定することができるように、写真フィルム２８の先端側の基準露光領域３２を基準露光することが好ましい。
【００２８】
基準露光部１４は、図４に示すように、露光部３４及びＬＥＤドライバ３６により構成されている。露光部３４は、複数のＬＥＤ３８が配列されたＬＥＤ基板４０のＬＥＤ側に拡散板４２を設け、さらに拡散板の光拡散側に、フィルム搬送方向に沿って光強度分布を生じさせるウェッジ４４を設けて構成されている。
【００２９】
ＬＥＤ基板４０は、図５に示すように４つの領域に分かれており、図５において１番上の領域には赤色光（Ｒ光）を発光するＬＥＤ４６Ｒが配列され、上から２番目の領域には緑色光（Ｇ光）を発光するＬＥＤ４６Ｇが配列され、上から３番目の領域には青色光（Ｂ光）を発光するＬＥＤ４６Ｂが配列され、一番下の領域にはＬＥＤ４６Ｒ，ＬＥＤ４６Ｇ，ＬＥＤ４６Ｂが交互に配列されている。なお、グレイ露光部のＲ，Ｇ，Ｂの光量バランスは、Ｄ６５等の標準的な昼光の色温度に近くなるように、ＬＥＤ４６Ｒ，ＬＥＤ４６Ｇ，ＬＥＤ４６Ｂの個数を決めることが好ましい。
【００３０】
ＬＥＤ基板４０はＬＥＤドライバ３６と接続されており、ＬＥＤ基板４０上の各ＬＥＤ３８は、ＬＥＤドライバ３６から所定の電流が供給されることにより一様に発光する。また、ＬＥＤドライバ３６は、例えば磁気情報読み取り部１２からフィルム感度情報を得ることにより、フィルム種に応じて各ＬＥＤに供給する電流を適正に制御することができる。
【００３１】
各ＬＥＤから発光した光は拡散板４２により拡散され、ウェッジ４４を介して写真フィルム２８に照射される。ウェッジ４４は、写真フィルム２８への露光量を変化させるようになっており、例えば図３に示すように写真フィルム２８の搬送方向（矢印Ａ方向）上流側から下流側へ向けて連続的に露光量が大きくなるようにする。なお、露光量は、段階的に大きくなるようにしてもよい。また、ウェッジ４４の写真フィルム２８の搬送方向上流側は、図６の線４８で示すように、該搬送方向と略直交する方向に線状に露光することができるようになっている。なお、ウェッジ４４を用いずに、各ＬＥＤに供給する電流をフィルム搬送方向に沿って徐々に大きくすることにより露光量を変化させてもよい。
【００３２】
このように構成された基準露光部１４により写真フィルム２８の基準露光領域３２は、図６に示すようにＲ光、Ｇ光、Ｂ光、及びＲ光、Ｇ光、Ｂ光がミックスされた光、すなわちグレイ光により基準露光される。また、写真フィルム２８の搬送方向と略直交する方向に線状に露光される。この線４８をトリガ線として検出することにより基準露光領域３２が基準露光されたことを検出することができる。
【００３３】
なお、基準露光部１４は、例えば図７に示すようにＬＥＤに代えてハロゲンランプ等の光源を用いて構成してもよい。図７に示す基準露光部１４は、ハロゲンランプ５０を備え、該ハロゲンランプ５０の光照射側にはシャッタ５２が配置されている。シャッタ５２の光出射側には上下に拡散板５４が取り付けられた拡散ボックス５６、光をＲ光、Ｇ光、及びＢ光に分解する色分解フィルタ５８、及び上記で説明したウェッジ４４が順に配置されている。
【００３４】
色分解フィルタ５８は、入射光のうちＲ光のみ透過させるフィルタと、入射光のうちＧ光のみ透過させるフィルタと、入射光のうちＢ光のみ透過させるフィルタと、で構成され、図５のＬＥＤ配列部位と対応する部位に配置されている。なお、ＬＥＤ４６Ｒ，４６Ｇ，４６Ｂを交互に配列した部位にはＤ６５等の標準的な昼光の色温度に近くなるような色温度変換フィルターを配置することが好ましい。これによって、図６と同様の基準露光を行うことができる。また、コストを削減するために、フィルタを配置せずにハロゲンランプの色温度とＤ６５の色温度との関係に基づいて補正してもよい。
【００３５】
白黒現像部１６では、白黒現像を行うための現像液を写真フィルム２８に塗布することにより白黒現像を行う。白黒現像部１６の上流側には上記で説明したように、搬送ローラ１５及びパーフォレーション検出センサ１３が配置されている。白黒現像部１６は、図８に示すように、現像液を写真フィルム２８へ噴射するための噴射タンク６２を備えている。
【００３６】
この噴射タンク６２の左下方には、この噴射タンク６２に供給する為の現像液を貯留する現像液ボトル６４が配置されており、この現像液ボトル６４の上部に現像液を濾過する為のフィルタ６６が配置されている。そして、途中にポンプ６８が配置された送液パイプ７０が、この現像液ボトル６４とフィルタ６６との間を繋いでいる。さらに、噴射タンク６２の右側には、現像液ボトル６４より送られた現像液を溜めるサブタンク７２が配置されており、フィルタ６６から送液パイプ７４がサブタンク７２にまで伸びている。従って、ポンプ６８が作動すると、現像液ボトル６４からフィルタ６６側に現像液が送られると共に、フィルタ６６を通過して濾過された現像液がサブタンク７２に送られて、サブタンク７２に現像液が一旦溜められるようになる。
【００３７】
また、サブタンク７２と噴射タンク６２との間を繋ぐ送液パイプ７６が、これらの間に配置されており、フィルタ６６、サブタンク７２、送液パイプ７６等を介して、現像液ボトル６４よりポンプ６８で送られた現像液がこの噴射タンク６２内に満たされることになる。この噴射タンク６２の下部には、現像液ボトル６４に循環パイプ７８で繋がれたトレー８０が配置されており、噴射タンク６２より溢れ出した現像液をトレー８０が集め、循環パイプ７８を介して現像液ボトル６４に戻すようになっている。また、この循環パイプ７８は、サブタンク７２内にまで突出して伸びた状態でサブタンク７２に接続されており、サブタンク７２内に溜まった必要以上の現像液を現像液ボトル６４に戻すようになっている。
【００３８】
さらに、図９及び図１０に示すように、この噴射タンク６２の壁面の一部であって写真フィルム２８の搬送経路Ｅに対向した部分には、弾性変形可能な長方形状の薄板を屈曲して形成したノズル板８２が設置されている。そして、図９及び図１０に示すように、このノズル板８２には、ノズル板８２の長手方向である写真フィルム２８の搬送方向Ａと交差する方向に沿って、一定の間隔で複数のノズル孔８４（例えば直径数十μｍ）が、写真フィルム２８の幅方向全体にわたってそれぞれ形成され、これにより直線状に延びるノズル列が構成される。そして、このノズル列は、ノズル板８２上に千鳥掛状で複数列配置されている。
【００３９】
つまり、線状に配列された複数のノズル孔８４により形成されるノズル列が、それぞれ噴射タンク６２の長手方向に延びるように複数列設けられており、これらノズル列を構成するノズル孔８４よりそれぞれ噴射タンク６２内に満たされた現像液が写真フィルム２８側に噴射されるように放出可能とされている。この噴射タンク６２から現像液が噴射されることにより、略一定速度で搬送される写真フィルム２８が白黒現像される。
【００４０】
本実施の形態においては、写真フィルム２８がＡＰＳフィルムの場合には、パーフォレーションの位置により画像コマ位置が特定できるので、パーフォレーション検出センサ１３によってパーフォレーションを検出して搬送ローラ１５により写真フィルム２８の搬送を制御することにより、図２０（Ａ）に示すように画像コマ毎に現像液を塗布する。また、写真フィルム２８が１３５サイズの写真フィルムの場合は、塗布漏れを防止するため、搬送ローラ１５により写真フィルム２８の搬送を制御することにより、図２０（Ｂ）に示すように前回の塗布範囲と一部重複するように現像液を塗布する。
【００４１】
バッファ部１８は、白黒現像部１６で略一定速度となる写真フィルム２８の搬送速度と、後述するフィルムキャリア８６による写真フィルム２８の搬送速度との速度差を吸収するためのものである。なお、白黒現像部１６での搬送速度とフィルムキャリア８６での搬送速度とを同一にする場合には、バッファ部を省略することができる。
【００４２】
フィルムスキャナ２０は、白黒現像部１６により現像処理された写真フィルム２８に記録されている画像を読み取り、該読み取りによって得られた画像データを出力するものであり、図１及び図１１に示すように、フィルムキャリア８６を備えている。
【００４３】
フィルムキャリア８６の上側には、図１２に示すようにリング状にＬＥＤ８８を配置して構成され、写真フィルム２８に光を照射する照明ユニット９０Ａが配置されている。なお、照明ユニット９０Ａから射出される光は図１３に示すような赤外域の波長（中心波長が約９５０ｎｍ）の光（ＩＲ光）である。この照明ユニット９０Ａは、ＬＥＤドライバ９２により駆動される。
【００４４】
照明ユニット９０Ａの上側には、図１１及び図１５に示すように、写真フィルム２８のＢ層から反射した光を結像させる結像レンズ９４Ａ、及び写真フィルム２８のＢ層から反射した光を検出するエリアＣＣＤ９６Ａが、光軸Ｌに沿って順に配置されている。エリアＣＣＤ９６Ａは、各々赤外域に感度を有する多数のＣＣＤセル（光電変換セル）がマトリクス状に配列されたモノクロのＣＣＤであり、受光面が結像レンズ９４Ａの結像点位置に略一致するように配置されている。また、エリアＣＣＤ９６Ａは、画素ずらしユニット９８Ａ上に配置されている。さらに、エリアＣＣＤ９６Ａと結像レンズ９４Ａとの間にはブラックシャッタ１００Ａが設けられている。
【００４５】
エリアＣＣＤ９６ＡはＣＣＤドライバ１０２Ａを介してスキャナ制御部１０４に接続されている。スキャナ制御部１０４はＣＰＵ、ＲＯＭ（例えば記憶内容を書換え可能なＲＯＭ）、ＲＡＭ、及び入出力ポートを備え、これらがバス等を介して互いに接続されて構成されている。スキャナ制御部１０４はフィルムスキャナ２０の各部の動作を制御する。また、ＣＣＤドライバ１０２ＡはエリアＣＣＤ９６Ａを駆動するための駆動信号を生成し、エリアＣＣＤ９６Ａの駆動を制御する。
【００４６】
フィルムキャリア８６の下側には、照明ユニット９０Ｂ、結像レンズ９４Ｂ、画素ずらしユニット９８Ｂ上に配置されたエリアＣＣＤ９６Ｂ、ＣＣＤドライバ１０２Ｂが順に配置されている。これらは、前述した照明ユニット９０Ａ、結像レンズ９４Ａ、エリアＣＣＤ９６Ａ、ＣＣＤドライバ１０２Ａと各々同一構成であるが、エリアＣＣＤ９６Ｂは、照明ユニット９０Ｂにより写真フィルム２８に照射されたＩＲ光のうち図１５に示すような写真フィルム２８のＲ層により反射された反射光、及び照明ユニット９０Ａにより写真フィルム２８に照射された光のうち該写真フィルム２８を透過した透過光の両方を検出する。なお、照明ユニット９０Ｂから射出される光は、照明ユニット９０Ａから射出される光と同様の中心波長が約９５０ｎｍのＩＲ光である。
【００４７】
銀コロイドを用いたアンチハレーション層は、漂白処理を施さない状態では広い波長域に吸収を有し、入射または出射する光を減衰させてしまう。写真フィルム２８にこのようなアンチハレーション層が設けられている場合は、写真フィルム２８の支持体面側を照射する照明ユニット９０Ｂの照射光量を、写真フィルム２８の乳剤面側を照射する照明ユニット９０Ａの照射光量よりも大きくする等、フィルム種に応じて、即ち、フィルムの層構成やアンチハレーション層の組成を判別して、支持体面側の照射光量と乳剤面側の照射光量を変える。銀コロイドを用いたアンチハレーション層の光透過率は約２０％〜５０％であり、支持体面側と乳剤面側とに同じ光量の光を照射すると、支持体面側でのエリアＣＣＤの受光量は乳剤面側のエリアＣＣＤの受光量の４％〜２５％になる。従って、支持体面側を照射する照明ユニット９０Ｂの照射光量を、乳剤面側を照射する照明ユニット９０Ａの照射光量に対し、例えば２倍〜４倍の大きさにするのが好ましい。
【００４８】
また、照明ユニット９０Ｂとフィルムキャリア８６との間には、明補正用ＮＤフィルタ１０６が配置されている。明補正用ＮＤフィルタ１０６は、図１４（Ａ）に示すように、矢印Ｂ方向に沿って回転可能なターレット１０８上に設けられた複数（本実施形態では５個）の開口部のうち１つの開口部１１０を除いて、透過率が互いに異なるＮＤフィルタ１１２Ａ〜１１２Ｄが各々嵌め込まれた構成となっている。
【００４９】
フィルムキャリア８６は、写真フィルム２８に記録された画像の画面中心が光軸Ｌに一致する位置（読取位置）に位置決めされるように写真フィルム２８を搬送する。また、フィルムキャリア８６は、ＤＸコード読み取りセンサ１１４、コマ検出センサ１１６、明補正用反射基準板１１８Ａ、１１８Ｂ等を備えている。
【００５０】
ＤＸコード読み取りセンサ１１４は、図１６に示すような１３５サイズの写真フィルム２８に光学的に記録されたＤＸコード１２０を読み取る。コマ検出センサ１１６は、パーフォレーション検出センサ１３と同様に対向配置した発光素子と受光素子とで構成され、パーフォレーションを検出することにより写真フィルム２８の画像コマ位置の検出を行う。これにより画像の画面中心が光軸Ｌに一致する位置に位置決めされる。明補正用反射板１１８Ａ、１１８Ｂは、写真フィルム２８を挟んで対向する位置に配置されており、図１４（Ｂ）に示すように、矢印Ｃ方向に沿って回転可能とされたターレット１２２上に設けられた複数（本実施形態では５個）の開口部のうち１つの開口部１２４を除いて、反射率が互いに異なる反射板１２６Ａ〜１２６Ｄが各々嵌め込まれた構成となっている。
【００５１】
写真フィルム２８はフィルムキャリア８６によって搬送され、画像の画面中心が光軸Ｌに一致する位置（読取位置）に位置決めされる。また、スキャナ制御部１０４は画像が読取位置に位置決めされている状態で、明補正用反射板１１８Ａ、１１８Ｂの開口部１２４及び明補正用ＮＤフィルタ１０６の開口部１１０が光軸Ｌ上に位置するようにターレット１２２、１０８を回転駆動させると共に、所定の読取条件に対応するエリアＣＣＤ９６Ａ、９６Ｂの電荷蓄積時間ｔ１、ｔ２をＣＣＤドライバ１０２Ａ、１０２Ｂへ各々設定する。
【００５２】
これにより、図１７（Ｅ）に示すように照明ユニット９０Ａがスキャナ制御部１０４により点灯されると、写真フィルム２８のＢ層側にＩＲ光が照射され、写真フィルム２８のＢ層から反射した光は図１７（Ａ）に示すようにエリアＣＣＤ９６Ａによって検出され（詳しくは光電変換された電荷が蓄積され）、図１７（Ｂ）に示すように反射光量を表す信号としてエリアＣＣＤ９６Ａから出力される。
【００５３】
また、これと同時に写真フィルム２８を透過した光が図１７（Ｃ）に示すようにエリアＣＣＤ９６Ｂによって検出され、図１７（Ｄ）に示すように透過光量を表す信号としてエリアＣＣＤ９６Ｂから出力される。
【００５４】
透過光及びＢ層からの反射光の検出が終了すると、図１７（Ｆ）に示すように照明ユニット９０Ｂがスキャナ制御部１０４により点灯され、写真フィルム２８の支持体側にＩＲ光が照射され、写真フィルム２８のＲ層から反射した光は図１７（Ｃ）に示すようにエリアＣＣＤ９６Ｂによって検出され、図１７（Ｄ）に示すように反射光量を表す信号としてエリアＣＣＤ９６Ｂから出力される。
【００５５】
なお、照明ユニット９０Ａ，９０Ｂにより照射される光の光量及び点灯時間ｔ４、ｔ５、エリアＣＣＤ９６Ａ，９６Ｂによる電荷蓄積時間ｔ１、ｔ２、ｔ３は、後述する制御部１４０によるセットアップ演算により設定される。
【００５６】
また、ＡＰＳフィルムの場合には、現像部１６で各コマに順に現像液を塗布した後、フィルムキャリア８６の読み取り位置に各コマを停止させて画像を読み取ればよいが、１３５フィルムの場合には現像液を重ねて塗布すると共に、隣り合う読み取り範囲が一部重複するように読み取るので、画像読み取り完了後、次回の塗布範囲に現像液を塗布するためフィルムキャリア８６は写真フィルム２８を逆方向に搬送する。なお、この１３５フィルムの場合には、現像部１６と読み取り部との距離を短くするために、バッファ部１８を省略するのが好ましい。
【００５７】
Ｂ層による反射光量は、Ｂ層（青感光性層）内に含まれる現像銀の量、すなわちＢ層の銀画像量に応じて変化する。従って、Ｂ層による反射光を光電変換することは白黒現像に代えてカラー現像した場合に得られるイエロー色素画像の画像情報を読み取ることに相当する。同様に、Ｒ層（赤感光性層）による反射光を光電変換することはカラー現像した場合に得られるシアン色素画像の画像情報を読み取ることに相当する。また、透過光を光電変換することはカラー現像した場合に得られるイエロー色素画像、緑感光性層内のマゼンタ色素画像、シアン色素画像がミックスされた画像を読み取ることに相当する。
【００５８】
写真フィルム２８がＡＰＳフィルムの場合には、図２０（Ａ）に示すように、画像コマより若干広い範囲に現像液が塗布されるので、塗布範囲より少し狭い範囲で画像を読み取る。写真フィルム２８が１３５サイズの写真フィルムの場合は、画像の位置が特定できないため、図２０（Ｂ）に示すように、現像液の塗布範囲よりも広い範囲を読み取る。この場合には重複した範囲が読み取られることになるが、画像処理を施すことにより現画像を復元することができる。
【００５９】
エリアＣＣＤ９６Ａ，９６Ｂによる画像の読み取りは、銀画像の発生度合いに応じて複数回行ってもよい。例えば、画像が読取位置に位置決めされている状態で、照明ユニット９０Ａ，９０Ｂを所定時間間隔で交互に点灯させ、同一画像を複数回読み取る。銀画像中の銀濃度は露光量に応じて増加するが、銀濃度が低過ぎると画像が読み取れない場合があるほか、銀濃度が高過ぎても画像の読み取りが困難になる。同一銀画像を上記のように複数回読み取り、銀濃度が低い部分については現像が進行した後に読み取った画像データを用い、銀濃度の高い部分については現像初期に読み取ったデータを用いる、というように複数の画像データから合成画像を作成することにより、１回の読み取りデータから画像を形成するよりも良好な画像を得ることができる。
【００６０】
なお、本実施の形態では１箇所で画像の読み取りを行う構成としたが、上下１組のエリアＣＣＤを写真フィルム２８の搬送路に沿って所定間隔で直列に配置し、順次画像の読み取りを行ってもよい。また、本実施の形態ではセンサとしてエリアセンサであるエリアＣＣＤを用いているが、エリアＣＣＤに代えてラインセンサを用いることもできる。ラインセンサを用いる場合は、写真フィルム２８を往復移動させて、同一画像を複数回読み取る。
【００６１】
また、エリアＣＣＤ９６Ａは、図１８に示すように画素ずらしユニット９８Ａ上に配置され、該画素ずらしユニット９８Ａにはピエゾドライバ９９により駆動されるピエゾ素子１０１Ｘ，１０１Ｙが接続されている。このピエゾドライバ９９によりピエゾ素子１０１Ｘ、１０１Ｙを図１８においてＸ方向、Ｙ方向に各々振動させることにより画素ずらしユニット９８Ａ、すなわちエリアＣＣＤ９６ＡをＸ方向、Ｙ方向へずらすことができる。これにより、例えば１／２画素分ずつＸ方向、Ｙ方向へ順次エリアＣＣＤ９６Ａを移動させて画像を各々読み取ることにより、４倍の解像度で画像を読み取ることができる。なお、エリアＣＣＤ９６Ｂについても同様の構成である。
【００６２】
エリアＣＣＤ９６Ａ、９６Ｂから出力された信号は、アンプ回路１２８Ａ、１２８Ｂにより各々増幅され、Ａ／Ｄ変換器１３０Ａ、１３０Ｂによって反射光量を表すデジタルデータに各々変換され、相関二重サンプリング回路（ＣＤＳ）１３２Ａ、１３２Ｂに各々入力される。ＣＤＳ１３２Ａ、１３２Ｂは、フィードスルー信号のレベルを表すフィードスルーデータ及び各画素毎の信号のレベルを表す画素データを各々サンプリングし、各画素毎に画素データからフィードスルーデータを減算し、演算結果（各ＣＣＤセルでの蓄積電荷量に正確に対応するデータ）を、画像データとして画像処理装置２２へ順次出力する。
【００６３】
ＣＤＳ１３２Ａ、１３２Ｂから出力された画像データは、明暗補正部１３４Ａ、１３４Ｂに各々入力される。明暗補正部１３４Ａ，１３４Ｂでは、予め定めた暗補正データ及び明補正データにより明暗補正が行われる。
【００６４】
明暗補正部１３４Ａは、エリアＣＣＤ９６Ａの光入射側がブラックシャッタ１００Ａにより遮光されている状態で明暗補正部に入力されたデータ（エリアＣＣＤ９６Ａの各セルの暗出力レベルを表すデータ）を各セル毎に図示しないメモリに暗補正データとして記憶しておき、入力された画像データから、各画素毎に対応するセルの暗出力レベルを減ずることによって暗補正を行う。暗補正データの設定は、例えば装置の始業点検時や予め定めた所定時間毎、スキャン毎に行うが、暗出力レベル変動を補正できる頻度で行うことが望ましい。なお、明暗補正部１３４Ｂによる暗補正も上記と同様に行うことができる。
【００６５】
また、明暗補正部１３４Ａにより通常のカラー現像を行った写真フィルム２８に記録された画像の画像データに対して明補正を行う場合には、まず、白色板等の反射率が高いものを用いてエリアＣＣＤ９６Ａにより反射光の読み取りを行い、入力されたデータ（このデータが表す各画素毎の濃度のばらつきは各セルの光電変換特性のばらつき、または光源のムラに起因する）に基づいて各セル毎にゲインを定め、明補正データとして図示しないメモリに記憶しておく。そして、入力された読取対象のコマ画像の画像データを、各セル毎に定めたゲインに応じて各画素毎に補正する。なお、明暗補正部１３４Ｂによる明補正も上記と同様に行うことができる。また、照明ユニット９０Ａからの透過光を読み取って明補正する場合には、照明ユニット９０Ａからの光が素抜けの状態で明補正を行う。
【００６６】
しかしながら、白黒現像を行った写真フィルム２８に記録された画像の画像データに対して明補正を行う場合において、白色板を用いたり、素抜け状態で明補正を行った場合、写真フィルム２８に記録された画像濃度に比べて明るすぎてしまい、適正に明補正を行うことができない。このため、写真フィルム２８の未露光部の濃度を明補正用の基準濃度とし、これに近い反射板又はフィルタが光軸Ｌ上に位置するようにして明補正を行うことが好ましい。これにより、白黒現像を行った写真フィルム２８の明補正を適正に行うことができる。なお、明補正用の基準濃度の選択は後述する制御部１４０によるセットアップ演算により行われる。
【００６７】
また、写真フィルム２８の未露光部が光軸上に位置するようにして明補正を行うようにしてもよい。これにより、明補正用ＮＤフィルタ１０６や明補正用反射板１１８Ａ，１１８Ｂが不要となり、コストを抑えることができる。この場合、未露光部の読み取りにおいてエリアＣＣＤ９６Ａ、９６Ｂの飽和点（リニアニティが取れる状態での最明点）に近くなるように、電荷蓄積時間や光量を設定し、その状態で複数回未露光部の読み取りを行ったときの平均値を明補正データとして図示しないメモリに記憶する。
【００６８】
なお、高Ｓ／Ｎでの読み取りを行う場合には、コマ毎にプレスキャンを行い、そのコマの最明点を用いて電荷蓄積時間や光量を設定してもよいし、未露光部の読み取りデータに基づいて電荷蓄積時間や光量を設定し、１回目のスキャンによりオーバー露光ネガであると判断される場合にはさらに明るい条件（蓄積時間を長くする、光量を増加させる）で再度スキャンしてもよい。
【００６９】
明暗補正部１３４Ａ，１３４Ｂで明暗補正処理が施された画像データは、画像処理装置２２へ各々出力される。
【００７０】
エリアＣＣＤ９６Ａで読み取った画像データとエリアＣＣＤ９６Ｂで読み取った画像データとの位置合わせは、写真フィルム２８に設けられたパーフォレーション、ＤＸコード、またはＦＮＳコードを特徴量として抽出し、抽出したパーフォレーション、ＤＸコード、またはＦＮＳコードを基準に、これらの特徴量が重なり合うように画像データを位置合わせすることにより、読み取った反射画像及び透過画像を合成することができる。フレームや画像中のエッジ等の画像中の特徴量を基準に位置合わせを行ってもよい。
【００７１】
また、エリアＣＣＤ９６Ａ、９６Ｂにより、基準チャートとフィルムキャリア８６に設けられた基準マークとを同時に読み込んで、各エリアＣＣＤで画像を読み込んだ場合の画像中心の光軸中心からの変位量を求めて予め補正量を算出し、算出した補正量に応じて位置合わせを行ってもよい。なお、補正量は各エリアＣＣＤに固有の値であるため、補正量の算出はセットアップ時に行う。
【００７２】
画像処理装置２２は、図１に示すように、フレームメモリ１３６、画像処理部１３８、及び制御部１４０を備えている。フレームメモリは各フレームのコマ画像の画像データを記憶可能な容量を有しており、フィルムスキャナ２０から入力された画像データはフレームメモリ１３６に記憶される。フレームメモリ１３６に入力された画像データは、画像処理部１３８により画像処理が施される。
【００７３】
画像処理部１３８は、制御部１４０によって各画像毎に決定されて通知された処理条件に従って種々の画像処理を行う。
【００７４】
制御部１４０は、ＣＰＵ１４２、ＲＯＭ１４４（例えば記憶内容を書換え可能なＲＯＭ）、ＲＡＭ１４６、入出力ポート（Ｉ／Ｏ）１４８、ハードディスク１５０、キーボード１５２、マウス１５４、及びモニタ１５６を備え、これらがバスを介して互いに接続されて構成されている。制御部１４０のＣＰＵ１４２は、フレームメモリ１３６から入力された基準露光部の読み取りデータに基づいて、画像処理部１３８において行われる各種の画像処理のパラメータを演算（セットアップ演算）し、画像処理部１３８へ出力する。この演算は、以下のようにして行う。
【００７５】
例えば、基準露光部３２のＲ単色露光領域の反射光の読み取りデータと、Ｒ単色露光領域の透過光の読み取りデータとから、Ｒの反射濃度からＲの透過濃度へ変換する変換特性ｆ１を求める。各露光領域は前述したように写真フィルム２８の搬送方向上流側から徐々に露光量が大きくなっているため、各露光領域の低濃度から高濃度のデータが得られる。従って、変換特性ｆ１は、例えば透過光の読み取りデータから反射光の読み取りデータを除算した値を各濃度域毎に演算することにより、Ｒの反射濃度からＲの透過濃度へ変換するための変換曲線を求めることができる。ここで、Ｒの反射濃度をＤHR、Ｒの透過濃度をＤTRとした場合、ＤTR＝ｆ１（ＤHR）である。
【００７６】
同様にして、ＣＰＵ１４２は、基準露光部３２のＢ単色露光領域の反射光の読み取りデータと、Ｂ単色露光領域の透過光の読み取りデータとから、Ｂの反射濃度からＢの透過濃度へ変換する変換特性ｆ２を求める。ここで、Ｂの反射濃度をＤHB、Ｂの透過濃度をＤTBとした場合、ＤTB＝ｆ２（ＤHB）である。
【００７７】
制御部１４０は、この求めた変換特性ｆ１、ｆ２のデータを画像処理部１３８のＬＵＴ（ルックアップテーブル）１５８に出力する。ＬＵＴ１５８では、入力されたＲ画像、Ｂ画像の読み取りデータを各々ｌｏｇ変換して反射濃度データに変換し、変換した反射濃度データを変換特性ｆ１、ｆ２により透過濃度データに変換する。このように変換特性を求めて透過濃度に変換するのは、中間濃度域では層内を光が２度通過することから反射濃度は透過濃度の約２倍になり、高濃度域では濃度が飽和する等、反射濃度と透過濃度とが非線形な関係にあるため反射読み取りと透過読み取りを混在させた場合にグレイバランス等を適正に補正することができなくなるためである。
【００７８】
一方、Ｇ層の透過読み取りデータＤTGは、Ｒ，Ｇ，Ｂ各層合計の透過濃度データに含まれているため、Ｒ，Ｇ，Ｂ各層合計の透過読み取りデータをＤTRGBとした場合、ＤTG＝ＤTRGB−ＤTR−ＤTBで表すことができる。この演算は、ＭＴＸ（マトリクス）回路１６０により演算される。
【００７９】
Ｇ単色露光領域におけるベース側から読み取ったＲ層の反射濃度、及び乳剤面側から読み取ったＢ層の反射濃度は、混色がないと仮定した場合には、その値は零となる。これは、Ｇ単色露光領域のＲ層、Ｂ層には現像銀が存在しないためＲ層、Ｂ層は全く反射しないと考えられるからである。しかしながら、Ｒ層、Ｂ層の反射読み取りデータは、下層（本実施の形態の場合Ｇ層）の影響を受けるため混色を生じており、このままでは濁った色再現となってしまう。同様に、Ｒ単色露光領域におけるＢ層の反射濃度、Ｇ層の透過濃度、Ｂ単色露光領域におけるＲ層、Ｇ層の透過濃度は、混色がないと仮定した場合には、その値は零となる。しかしながら、実際には前述したように各層は他の層の影響を受けるため混色が生ずる。
【００８０】
そこで、各単色露光領域における各層の透過濃度を求めることにより、以下に説明するようにして混色の影響をなくす。まず、ｉ色におけるｊ色の混色度合いを表す混色係数ａｉｊを演算する。ただし、ｉ、ｊ＝１,２,３であり、１はＲ，２はＧ、３はＢを各々表す。
【００８１】
混色がない場合のＲ，Ｇ，Ｂの透過濃度のデータをＲ，Ｇ，Ｂとした場合、混色があるときのＲ，Ｇ，Ｂの透過濃度のデータＲ’，Ｇ’，Ｂ’は次の（１）式で示される。
【００８２】
【数１】
0003759854.tif 000002
【００８３】
【数２】
0003759854.tif 000003
【００８４】
ここで、混色係数ａ１２，ａ３２は、Ｇ単色露光領域におけるＲ層の透過濃度ＤTR及びＢ層の透過濃度ＤTBから求めることができ、同様に、混色係数ａ１３，ａ２３は、Ｂ単色露光領域におけるＲ層の透過濃度ＤTR及びＧ層の透過濃度ＤTGから求めることができ、混色係数ａ２１，ａ３１は、Ｒ単色露光領域におけるＧ層の透過濃度ＤTG及びＢ層の透過濃度ＤTBから求めることができる。
【００８５】
ＣＰＵ１４２は、上記の混色係数で構成される（２）式の逆行列を計算して色補正係数を求め、ＭＴＸ回路１６０へ出力する。
【００８６】
なお、ＲＧＢ単色露光を行わずに、任意のカラーチャートを予めフィルムに露光しておき、その読み取りデータと色再現目標値とから色補正係数を最小二乗法等で最適化して求めるようにしてもよい。すなわち、市販のカラーネガフィルムを用い、同じカメラで同じ被写体を連写することにより、複数（例えば、２コマ）の同じ絵柄の潜像を形成した未現像フィルムを用意し、１つのコマは白黒現像液で現像し、現像後、漂白、定着、及び水洗を行うことなく乾燥して白黒現像フィルムを得る。もう１つのコマはカラー現像液で現像し、現像後、漂白、定着、水洗、及び乾燥を行いカラー現像フィルムを得る。このカラー現像フィルムの画像を目標画像として色補正係数を求める。
【００８７】
別途設けられたフィルムスキャナで白黒現像フィルムに記録された画像を３方向から読み取る。すなわち、白黒現像したフィルム１０１の乳剤層側及び支持体側に光（本実施の形態ではＩＲ光）を照射し、各々から反射された光により上層（Ｂ層）の写真感光性層及び下層（Ｒ層）の写真感光性層の反射画像を各々読み取り、白黒現像したフィルムを透過した光によりＢ層の写真感光性層、Ｒ層の写真感光性層、及び中間層（Ｇ層）の写真感光性層の画像の各々を合成した透過画像を読み取る。Ｂ層及びＲ層の反射画像とＲＧＢ層の透過画像それぞれの画像データＢｒ，Ｒｒ，ＲＧＢｔを取り出し、３枚の画像が重ね合わされるように画素座標の修正を行う。特に、Ｒ層の反射画像は読み込み時に反転しているため、左右反転させて重ね合わされるようにする。画像の重ね合わせは、画像中に基準点を定め、該基準点の座標が一致するように各画像を回転変換、平行移動させることにより行う。フィルムスキャナから取り出され重ね合わされるように座標変換されたデータＢｒ，Ｒｒ，ＲＧＢｔは、グレースケールをリニアに変換するための変換器でそれぞれ線形変換されて、回帰演算装置にデータＢｒ’，Ｒｒ’，ＲＧＢｔ’として入力される。
【００８８】
また、同じ感度のフィルムスキャナでカラー現像フィルムの各感光層に記録された画像を透過画像として３色に色分解して読み取る。読み取られたデータＲ，Ｇ，Ｂは、変換器でそれぞれ線形変換されて、回帰演算装置に目標値であるデータＲ’，Ｇ’，Ｂ’として入力される。
【００８９】
回帰演算装置では、線形変換された３層のデータＲｒ’，ＲＧＢｔ’，Ｂｒ’を目標値Ｒ’，Ｇ’，Ｂ’に一致させるために回帰分析を行いパラメータを演算する。白黒現像フィルムから読み取ったデータＲｒ’，ＲＧＢｔ’，Ｂｒ’は色成分（ＲＧＢ成分）に分離されていないので、これによりカラー現像フィルムに記録された画像の色を基準にして色成分に分離する処理が行われる。
【００９０】
即ち、回帰演算装置では、Ｒ、Ｇ、Ｂの３色の各々について、以下の式に示すように１０個のパラメータａｋ〜ｊｋ（ただしｋ＝１、２、３であり、１はＲ、２はＧ、３はＢを表す）を用意し、Ｒｒ’，ＲＧＢｔ’，Ｂｒ’を目標値Ｒ’，Ｇ’，Ｂ’に変換するための３×１０のマトリックスのパラメータを統計演算で求める。これにより、色補正係数として３×１０行列式が得られる。
【００９１】
【数３】
0003759854.tif 000004
【００９２】
この（３）式は以下のように表される。
0003759854.tif 000005
なお、上記の例ではパラメータマトリックスのサイズを３×１０行列としたが、３×３行列や３×９行列であってもよい。
【００９３】
ＭＴＸ回路１６０では、上記のいずれかの方法で求めた色補正係数を用いて混色のないＲ，Ｇ，Ｂの各データを演算し、ＬＵＴ１６２へ出力する。ＬＵＴ１６２では、グレイバランスの補正及びコントラストの補正を行う。ＣＰＵ１４２では、このグレイバランスの補正、コントラストの補正を行うためのパラメータを決定する。
【００９４】
すなわち、基準露光領域３２のグレイ露光領域の読み取りデータと、予め定めた目標のグレイ濃度とから変換特性ｆ３を求める。但し、一般の写真撮影では様々な色温度の光源により撮影されているため、基準露光領域３２のグレイ露光領域の読み取りデータからグレイバランスを充分に補正することはできない。このため、コマ毎に撮影光源の光源補正係数を推定し、ＬＵＴ１６２へ出力する。すなわち、ＬＵＴ１６２では、この変換特性ｆ３を階調変換特性の基準としてグレイバランスの補正を行い、さらに光源補正係数による補正を行うことにより階調バランスの補正を行う。また、白黒現像のコントラストは、基準カラー現像のコントラストと異なっているので、それを補正するためのコントラスト補正を行う。
【００９５】
グレイバランスの補正やコントラストの補正が行われた画像データは、拡縮部１６４により所定の倍率に拡縮され、自動覆い焼き部１６６により覆い焼き処理が施され、シャープネス強調部１６８によりシャープネス強調処理が施される。なお、シャープネス強調処理は、低周波成分を除去し、高周波成分のみに基づいて行ってもよい。
【００９６】
このようにして画像処理が施された画像データは、３Ｄ（３次元）ＬＵＴ色変換部１７０によりモニタ１５４に表示するための画像データに変換されると共に、３ＤＬＵＴ変換部１７２によりプリンタ部２４において印画紙にプリントするための画像データに変換される。
【００９７】
プリンタ部２４は、例えば画像メモリ、Ｒ，Ｇ，Ｂのレーザ光源、該レーザ光源の作動を制御するレーザドライバ等を含んで構成されている（何れも図示省略）。画像処理装置２２から入力された記録用画像データは画像メモリに一旦記憶された後に読み出され、レーザ光源から射出されるＲ，Ｇ，Ｂのレーザ光の変調に用いられる。レーザ光源から射出されたレーザ光は、ポリゴンミラー、ｆθレンズを介して印画紙上を走査され、印画紙に画像が露光記録される。画像が露光記録された印画紙は、プロセッサ部２６へ送られて発色現像、漂白定着、水洗、乾燥の各処理が施される。これにより、印画紙に露光記録された画像が可視化される。
【００９８】
次に、本実施の形態の作用について、ＡＰＳフィルムを処理する場合を例にとって説明する。
【００９９】
まず、写真フィルム２８の処理に先だって、前述した明暗補正を行い、明補正データ及び暗補正データを明暗補正部１３４Ａ，１３４Ｂ内の図示しないメモリにセットしておく。そして、撮影済みの写真フィルム（ＡＰＳフィルム）２８が図１において矢印Ａ方向に搬送されると、磁気情報読み取り部１２において、磁気層３０に記録された磁気情報、すなわち、フィルム感度等のフィルム種に関する情報が読み取られる。
【０１００】
次に、写真フィルム２８は、基準露光部１４において、写真フィルム２８の先端側に設けられた未露光エリアである基準露光領域３２が図６に示すようにＲ，Ｇ，Ｂ，グレイの各色に低濃度域から高濃度域まで基準露光される。基準露光部１４において基準露光された写真フィルム２８は、白黒現像部１６により白黒現像される。これにより、写真フィルム２８のＲ，Ｇ，Ｂの各層内の撮影により感光されたハロゲン化銀が現像され、各色の銀画像が形成される。
【０１０１】
白黒現像された写真フィルム２８は、バッファ部１８を介してフィルムスキャナ２０へ搬送され、コマ検出センサ１１６により基準露光領域３２が検出されると、該基準露光領域３２の中心部が光軸Ｌ上に位置するように位置決めされる。そして、スキャナ制御部１０４により明補正用ＮＤフィルタ１０６の開口部１１０、明補正用反射板１１８Ａ、１１１８Ｂの開口部１２４が各々光軸Ｌ上に位置するようにターレット１０８、１２２を回転させる。
【０１０２】
次に、スキャナ制御部１０４は、ＣＣＤドライバ１０２Ａ，１０２Ｂに対して電荷蓄積時間ｔ１、ｔ２、ｔ３を各々設定し、照明ユニット９０Ａ、９０Ｂを点灯時間ｔ４、ｔ５で点灯させＩＲ光を写真フィルム２８に照射する。これにより、エリアＣＣＤ９６Ａ，９６Ｂにより基準露光領域３２の読み取りが行われる。すなわち、エリアＣＣＤ９６ＡによりＢ層の反射光が、エリアＣＣＤ９６ＢによりＲ層の反射光、各層の透過光が各々検出される。各検出信号は、アンプ回路１２８Ａ，１２８Ｂにより各々増幅され、Ａ／Ｄ変換器１３０Ａ、１３０Ｂによってデジタルデータに各々変換され、ＣＤＳ１３２Ａ、１３２Ｂを介して明暗補正部１３４Ａ，１３４Ｂへ出力され、該明暗補正部１３４Ａ，１３４Ｂにより明暗補正処理が施される。明暗補正処理が施された画像データは画像処理装置２２のフレームメモリへ出力され、制御部１４０へ出力される。制御部１４０のＣＰＵ１４２では、基準露光部３２のＲ単色露光領域の反射光の読み取りデータ及び透過光の読み取りデータとから、Ｒの反射濃度からＲの透過濃度へ変換する変換特性ｆ１を、基準露光部３２のＢ単色露光領域の反射光の読み取りデータ及び透過光の読み取りデータから、Ｂの反射濃度からＢの透過濃度へ変換する変換特性ｆ２を各々求め、ＬＵＴ１５８へセットする。
【０１０３】
次に、ＣＰＵ１４２は、変換特性ｆ１、ｆ２により求めた各単色露光領域の透過濃度データから混色係数を演算し、この混色係数で構成される行列の逆行列を計算して色補正係数を求め、ＭＴＸ回路１６０へ出力する。次に、ＣＰＵ１４２は、基準露光領域３２のグレイ露光領域の読み取りデータと、予め定めた目標のグレイ濃度とから変換特性ｆ３を求め、ＬＵＴ１６２へセットする。このようにして色補正、グレイバランス等の補正を行うためのパラメータを基準露光データに基づいて算出し、画像処理部１３８へセットする。
【０１０４】
基準露光領域３２の読み取りが終了すると、画像コマ１が光軸Ｌ上に位置するように位置決めされ、基準露光領域３２の読み取りと同様に画像コマ１の読み取りが行われ、画像データが画像処理装置２２へ出力される。そして、画像処理部１３８により、制御部１４０で設定された条件で画像処理が施される。すなわち、ＬＵＴ１５８により、入力されたＲ画像、Ｂ画像のデータが各々ｌｏｇ変換され、変換されたデータに対して変換特性ｆ１、ｆ２により透過濃度のデータに変換される。
【０１０５】
次に、ＭＴＸ回路１６０により、入力された各画像データが色補正係数により各々色補正され、混色のないＲ，Ｇ，Ｂの各データが演算される。そして、ＬＵＴ１６２により変換特性ｆ３を階調変換特性の基準としてグレイバランスの補正、コントラストの補正が行われる。グレイバランス補正は、さらに必要に応じて光源補正係数による階調バランスの補正を含んだ形で行われる。グレイバランスの補正、コントラストの補正が行われた画像データは、拡縮部１６４により所定の倍率に拡縮され、自動覆い焼き部１６６により覆い焼き処理が施され、シャープネス強調部１６８によりシャープネス強調処理が施される。
【０１０６】
このようにして画像処理が施された画像データは、３ＤＬＵＴ色変換部１７０によりモニタ１５４に表示するための画像データに変換されると共に、３ＤＬＵＴ変換部１７２によりプリンタ部２４において印画紙にプリントするための画像データに変換される。この画像処理が施された画像データは、プリンタ部２４により印画紙に露光される。画像データに応じて露光された印画紙は、プロセッサ部２６へ送られて発色現像、漂白定着、水洗、乾燥の各処理が施される。これにより、印画紙に露光記録された画像が可視化される。このようにして順次画像コマに記録された画像が読み取られて画像処理が施され、印画紙にプリントされる。
【０１０７】
本実施の形態では、カラー写真感光材料の乳剤面側及び支持体面側の各々に照射する光の光量を可変とし、写真フィルム２８にコロイド銀からなるアンチハレーション層が設けられている場合には、写真フィルム２８の乳剤面側を照射する照明ユニット９０Ａの照射光量を、写真フィルム２８の支持体面側を照射する照明ユニット９０Ｂの照射光量よりも小さくするので、１つの読み取り画面に対して大量の光を照射する必要がなくなり、感光材料の熱損傷を発生させることなく銀画像を読み取ることができる。
【０１０８】
また、読み取りセンサとしてエリアセンサを用いているので、ラインセンサと比較して光が一部分に集中することがなく、一部分に熱を集中させることなく銀画像を読み取ることができる。
（第２の実施の形態）
第１の実施の形態では、照明ユニット９０Ａ，９０Ｂから同一波長の光（中心波長が約９５０ｎｍのＩＲ光）が照射される構成としたが、照明ユニット９０Ａ，９０Ｂからそれぞれ異なる波長（例えば、８５０ｎｍと１３１０ｎｍ）の光を照射する構成としてもよい。この場合には、反射光と透過光とを同時に検出することができる。すなわち、図２１に示すように、結像レンズ９４ＡとエリアＣＣＤ９６Ａとの間にハーフミラー９１Ａを配置し、中心波長が約９５０ｎｍのＩＲ光に感度を有するエリアＣＣＤ９６Ａに代えて、異なる各波長の光に感度を有するエリアＣＣＤ９６Ａ１、９６Ａ２をハーフミラー９１Ａによる光の分岐方向に配置すると共に、結像レンズ９４ＢとエリアＣＣＤ９６Ｂとの間にハーフミラー９１Ｂを配置し、中心波長が約９５０ｎｍのＩＲ光に感度を有するエリアＣＣＤ９６Ｂに代えて、異なる各波長の光に感度を有するエリアＣＣＤ９６Ｂ１、９６Ｂ２をハーフミラー９１Ｂによる光の分岐方向に配置する。なお、エリアＣＣＤ９６Ａ１、９６Ａ２、９６Ｂ１、９６Ｂ２は、それぞれＣＣＤドライバ１０２Ａ１、１０２Ａ２、１０２Ｂ１、１０２Ｂ２を介して、スキャナ制御部１０４に接続されている。なお、他の構成は第１の実施の形態と同様であるため説明を省略する。
【０１０９】
照明ユニット９０Ａから射出される光をλA光、照明ユニット９０Ｂから射出される光をλB光とすると、照明ユニット９０Ａがスキャナ制御部１０４により点灯されると、写真フィルム２８のＢ層側にλA光が照射され、写真フィルム２８のＢ層側から反射したλA光はλA光に感度を有するエリアＣＣＤ９６Ａ１によって検出されて反射光量を表す信号としてエリアＣＣＤ９６Ａ１から出力される。また、これと同時に写真フィルム２８を透過したλA光がλA光に感度を有するエリアＣＣＤ９６Ｂ１によって検出されて透過光量を表す信号としてエリアＣＣＤ９６Ｂ１から出力される。
【０１１０】
一方、照明ユニット９０Ｂがスキャナ制御部１０４により点灯されると、写真フィルム２８の支持体側にλB光が照射され、写真フィルム２８のＲ層側から反射したλB光はλB光に感度を有するエリアＣＣＤ９６Ｂ２によって検出されて反射光量を表す信号としてエリアＣＣＤ９６Ｂ２から出力される。また、これと同時に写真フィルム２８を透過したλB光がλB光に感度を有するエリアＣＣＤ９６Ａ２によって検出されて透過光量を表す信号としてエリアＣＣＤ９６Ａ２から出力される。
【０１１１】
写真フィルム２８の一方の側で検出する反射光と透過光とは波長が異なるので、照明ユニット９０Ａ，９０Ｂを同時に点灯させて、反射光と透過光とを同時に検出することが可能である。即ち、写真フィルム２８の乳剤面側及び支持体面側の反射画像と透過画像とを同時に読み取ることができる。これらの画像を同時に読み取ることで、エリアＣＣＤごとに画像読み取りのタイミングがずれることによる読み取り誤差の発生を防止することができる。また、照明ユニット９０Ａ，９０Ｂを所定時間間隔で交互に点灯させて、画像を読み取ってもよい。
【０１１２】
なお、エリアＣＣＤは、所定波長の光のみを透過するフィルタを取り付けることにより所定波長の光に感度を有するようになるが、図２１において、ハーフミラーに代えてダイクロイックミラーを用いた場合にはフィルタは不要である。
【０１１３】
また、上記では、エリアＣＣＤ９６Ａ２、９６Ｂ２の２つのセンサにより透過画像を読み取るようにしたが、いずれか一方のみ配置して片方側からのみ透過画像を読み取るようにしてもよい。
【０１１４】
本実施の形態では、カラー写真感光材料の乳剤面側及び支持体面側の各々に異なる波長の光を照射するので、照明ユニット９０Ａ，９０Ｂを同時に点灯させて、反射光と透過光とを同時に検出することが可能であり、長時間を要することなく画像を読み取ったり、１つの読み取り画面に対して長時間大量の光を照射する必要がなくなるので、感光材料の熱損傷を発生させることなく読み取ることができる。
【０１１５】
なお、上記第１及び第２の実施の形態では、白黒現像により銀画像を形成する例について説明したが、銀画像は実質的に銀画像であれば色素画像情報が含まれていてもよく、各層とも画像濃度の６０％以上が銀画像に由来することが好ましい。したがって、カラーフィルムをカラー現像した色素情報を含む銀画像であってもよい。
【０１１６】
カラーフィルムをカラー現像した場合には、色素情報を含む銀画像は、赤外光を用いて色素画像を読み取らないで銀画像のみ読み取るようにすることができるが、上層の写真感光性層内の銀画像に含まれる色素と補色の光を上層の写真感光性層に照射する上層用光源と、下層の写真感光性層内の銀画像に含まれる色素と補色の光を下層の写真感光性層側に照射する下層用光源と、中間層の写真感光性層内の銀画像に含まれる色素と補色の光を上層の写真感光性層側または下層の写真感光性層側に照射する中間層用光源と、カラー写真フィルムの上層及び下層から反射された光、前記カラー写真フィルムを透過した光により画像情報を読み取る読取センサと、を設けて色素画像を読み取るようにしてもよい。
【０１１７】
具体的には、Ｒ光を用い反射光を検出することにより赤感光性層内のシアン色素画像と銀画像とに関する画像情報が得られ、Ｇ光を用いて透過光を検出することにより緑感光性層内のマゼンタ色素画像と銀画像とに関する画像情報を含む画像情報が得られ、Ｂ光を用い反射光を検出することにより青感光性層内のイエロー色素画像と銀画像とに関する画像情報が得られる。
【０１１８】
【発明の効果】
以上説明したように、請求項４記載の発明によれば、カラー写真感光材料の乳剤面側及び支持体面側の各々に波長及び光量の少なくとも一方が異なる光を照射するようにしたので、長時間を要することなく画像を読み取ったり、１つの読み取り画面に対して大量の光を照射する必要がなくなるので、感光材料の熱損傷を発生させることなく読み取ることができる、という効果を有する。
【０１１９】
また、請求項１記載の発明によれば、エリアセンサを用いたので、光を一部分に集中させることなく画像を読み取ることができるので、一部分に熱を集中さたときに発生する感光材料の熱損傷を発生させることなく、画像を読み取ることができる、という効果を有する。また、銀画像の生成度合いに応じて同一画像を複数回読み取るので、高ＳＮ比の画像情報を読み取ることができる、という効果を有する。
【図面の簡単な説明】
【図１】  本実施形態に係る画像処理システムの全体構成図である。
【図２】  ＡＰＳフィルムの平面図である。
【図３】  １３５フィルムの平面図である。
【図４】  基準露光部の概略構成図である。
【図５】  ＬＥＤ基板の平面図である。
【図６】  ＡＰＳフィルムの基準露光領域を示す図である。
【図７】  基準露光部の他の例を示す概略構成図である。
【図８】  現像部の概略構成図である。
【図９】  噴射タンクの斜視図である。
【図１０】  噴射タンクの底面図である
【図１１】  フィルムスキャナの概略構成図である。
【図１２】  （Ａ）は照明ユニットの底面図、（Ｂ）は照明ユニットの側面図である。
【図１３】  照射光の波長を示す線図である。
【図１４】  （Ａ）は明補正用ＮＤフィルタの平面図、（Ｂ）は明補正用反射板の平面図である
【図１５】  ＩＲ光を用いた画像の読み取りについて説明するための図である。
【図１６】  ＤＸコードを示す図である
【図１７】  画像の読み取りタイミングを示すタイミングチャートである。
【図１８】  画素ずらしユニットの概略構成図である
【図１９】  画像処理部の概略構成図である。
【図２０】  （Ａ）はＡＰＳフィルムの読み取り範囲を示す平面図、（Ｂ）は１３５フィルムの読み取り範囲を示す平面図である。
【図２１】  フィルムスキャナの他の構成を示す概略構成図である。
【符号の説明】
１０    画像処理システム
１２    磁気情報読み取り部（入力手段）
１４    基準露光部（露光手段）
１６    白黒現像部
１８    バッファ部
２０    フィルムスキャナ
２２    画像処理装置
２４    プリンタ部
２６    プロセッサ部
９０    照明ユニット
９４    結像レンズ
９６    エリアＣＣＤ（読み取りセンサ）
１３４    明暗補正部
１３６    フレームメモリ
１３８    画像処理部（画像処理手段）
１４０    制御部（演算手段）
１５０    ハードディスク（記憶手段）
１５８、１６２    ＬＵＴ（補正手段）
１６０    ＭＴＸ回路（補正手段）
【図１】
0003759854.tif 000006
【図２】
0003759854.tif 000007
【図３】
0003759854.tif 000008
【図４】
0003759854.tif 000009
【図５】
0003759854.tif 000010
【図６】
0003759854.tif 000011
【図７】
0003759854.tif 000012
【図８】
0003759854.tif 000013
【図９】
0003759854.tif 000014
【図１０】
0003759854.tif 000015
【図１１】
0003759854.tif 000016
【図１２】
0003759854.tif 000017
【図１３】
0003759854.tif 000018
【図１４】
0003759854.tif 000019
【図１５】
0003759854.tif 000020
【図１６】
0003759854.tif 000021
【図１７】
0003759854.tif 000022
【図１８】
0003759854.tif 000023
【図１９】
0003759854.tif 000024
【図２０】
0003759854.tif 000025
【図２１】
0003759854.tif 000026